(57)【要約】【課題】  二次電池の異形状部となる誤挿入防止のキー形状のスペースを有効に利用し、金属の構造部材と反射傘のリード線を接続する腕部までの沿面距離を十分に確保する。【解決手段】  本発明の電池ボックスとストロボユニットの構成は、二次電池に逆挿入防止のキー溝形状を設ける。電池ボックスユニットには、二次電池に設けられたキー溝形状に対応するキーがあり、キーの内側にはストロボ窓から下方向に伸びる保護壁が入り込む。【選択図】  図５
2013105023.tif 000002
【特許請求の範囲】
【請求項１】
撮像装置（１０）の本体を覆う第一のカバー（１６）と、
ストロボユニット（１９）を有し、ストロボユニットは（１９）はストロボ窓（４５ａ）と反射傘（４３ａ）を有し、ストロボ窓（４５ａ）には保護壁（４５ｃ）が形成され、前記保護壁（４５ｃ）は反射傘（４３ａ）の一部で形成されリード線を接続する腕部（４３ｂ）の光軸方向から見た投影を覆っていることを特徴とする撮像装置。
【請求項２】
電源として二次電池（２１）が収納される電池ボックスユニット（２０）を有し、該二次電池（２１）には誤挿入防止のためのキー溝形状（２６）が設けられており、
電池ボックスユニット（２０）には、前記キー溝形状（２６）に対応するキー部（３４）が形成されており、
ストロボユニットは（１９）はストロボ窓（４５ａ）を有し、ストロボ窓（４５ａ）には保護壁（４５ｃ）が形成され、前記保護壁（４５ｃ）はキー部（３４）の内側のスペース（４６）に挿入されていることを特徴とする請求項１に記載の撮像装置。
【請求項３】
第一のカバー（１６）は金属製であることを特徴とする請求項１または請求項２に記載の撮像装置。
【請求項４】
キー溝形状（２６）は二次電池（２１）に設けられた電極（２５）と同じ面に配置されたことを特徴とする請求項２に記載の撮像装置。
【請求項５】
撮像装置（１０）の本体を覆う第一のカバー（１６）と、
ストロボユニット（１９）と電源として二次電池（２１）が収納される電池ボックスユニット（２０）を有し、二次電池（２１）には誤挿入防止のためのキー溝形状（２６）が設けられており、
電池ボックスユニット（２０）には、前記キー溝形状（２６）に対応するキー部（３４）が形成されており、二次電池（２１）を排出方向に付勢する排出ばね（６１）が固定され、排出ばね（６１）は巻回部（６１ａ）を有し、
ストロボユニットは（１９）はストロボ窓（４５ａ）と反射傘（４３ａ）を有し、ストロボ窓（４５ａ）には保護壁（４５ｃ）が形成され、前記保護壁（４５ｃ）はキー部（３４）の内側のスペース（４６）に挿入され、且つ、排出ばね（６１）の巻回部（６１ａ）と反射傘（４３ａ）の間にあることを特徴とする撮像装置。
【発明の詳細な説明】
【技術分野】
【０００１】
本発明は、光学像を光電変換して画像データに生成し、データファイルとして記録する撮像装置、特にデジタルカメラの電池収納部に関するものである。
【背景技術】
【０００２】
デジタルカメラは持ち運びの際の利便性から小型化、薄型化したものが多く好まれている。そのため、レンズ鏡筒ユニット、電池ボックスユニット、ストロボユニットなどカメラ本体内部を構成する各ユニットは、小型化が求められる。そこで、強度を損なわず小型化をするために、各ユニットの構成部材には金属材料を用いることが有効である。例えばカメラ本体を覆うカバーは、金属の薄板をプレス加工した金属カバーを用いることで、強度を保ちながら薄型化の工夫をしている。
【０００３】
デジタルカメラにおいてストロボユニットの周囲に金属材料を用いる場合は、ストロボユニットの回路とストロボユニット周囲に用いられる金属の構造部材との沿面距離の考慮が重要である。そのひとつとして、ストロボユニットの発光回路のトリガー信号部に対する沿面距離の確保がある。トリガー信号は、デジタルカメラ内部において最も高電圧である為に周辺の金属部材との沿面距離の確保が不十分であると、トリガー信号の電圧低下や、周囲の金属の構造部材へのリークが発生する。その結果、ストロボは、発光不良となる。しかしながら、デジタルカメラにおいて、沿面距離の確保は小型化の妨げとなる。
【０００４】
デジタルカメラに用いる二次電池の大きさはカメラサイズを決定する要素である。二次電池の大きさは容量を決定する要素でもあるため、カメラサイズに対し最適な形状が求められる。そこで、デジタルカメラに用いる二次電池は一般的に角型形状をしている。このような角型二次電池は、挿入方向を間違えたとしても、使用者が誤挿入に気づくような配慮がされている。例えば、外形の一部にキー形状を設けるなどの対策によって電池ボックスへの誤挿入を防止している。また、二次電池の外形において、異形状部を設けることで、異形状部のスペースに筐体の一部を配置し、少スペース化を行う構成が提案されている。（特許文献１参照）。
【先行技術文献】
【特許文献】
【０００５】
【特許文献１】特開２０１１−１４１９９５号公報
【発明の概要】
【発明が解決しようとする課題】
【０００６】
このような構造の二次電池は、筐体側の構造物の形状に合わせ、二次電池の形状を決定している。その結果、二次電池のサイズ全体は、大きくなってしまう。デジタルカメラにおいて二次電池は、カメラ本体内部を構成する各ユニットの配置に対し最適な大きさ、形状となるよう決定し、且つ誤挿入対策として必要な異形状部となるキー形状のスペースを有効に利用しなければ、最適な小型化とは言い難い。
【０００７】
本発明は、このような課題に鑑みて、二次電池の異形状部となる誤挿入防止のキー形状のスペースを有効に利用し、金属製の前カバーと反射傘のリード線を接続する腕部までの沿面距離を十分に確保する。そして金属カバーで覆われたデジタルカメラにおいて、トリガーコイルからのトリガー信号のリークを防止する構造を提供することを目的とする。
【０００８】
また、本発明は金属製の前カバーだけでなく、ストロボユニットの発光回路のトリガー信号部のリーク可能性がある電池ボックスユニット内に用いられる金属の構成部材との沿面距離を十分に確保する。そして、デジタルカメラにおいて、トリガーコイルからのトリガー信号のリークを防止する構造を提供することを目的とする。
【課題を解決するための手段】
【０００９】
本発明の電池ボックスとストロボユニットの構成は、用いられる二次電池に逆挿入防止のキー溝形状を設ける。電池ボックスユニットには、二次電池に設けられたキー溝形状に対応するキーがあり、キーの内側のスペースにはストロボ窓から一体で下方向に伸びる保護壁が入り込む。
【発明の効果】
【００１０】
本発明によれば、金属製の前カバーとストロボユニットを構成する反射傘のリード線を接続する腕部までの沿面距離を十分に確保することが可能となり、トリガーコイルからのトリガー信号のリークを防止することができる。
【００１１】
また、金属カバーだけでなく周囲の金属構造部材とストロボユニットを構成する反射傘のリード線を接続する腕部との沿面距離を確保することが可能となり、トリガーコイルからのトリガー信号のリークを防止することができる。
【図面の簡単な説明】
【００１２】
【図１】本発明の実施例としてのデジタルカメラ１０を説明する図である。
【図２】本発明の実施例に用いる二次電池２１の斜視図である。
【図３】電池ボックスユニット２０の構成を説明する斜視図である。
【図４（ａ）】ストロボユニット１９の構成と電池ボックスユニット２０との関係を説明する図である（その１）。
【図４（ｂ）】ストロボユニット１９の構成と電池ボックスユニット２０との関係を説明する図である（その２）。
【図５】図１（ａ）の平面Ａによる断面のストロボユニット１９近傍を拡大した図である。
【図６】本発明の第２の実施例における電池ボックスユニット２０とストロボユニット１９を説明する図である。
【図７】図６（ａ）のユニットを図１（ａ）の平面Ａによる断面のストロボユニット１９近傍を拡大した図である。
【発明を実施するための形態】
【００１３】
（第１の実施例）
以下、本発明の第１の実施例について、図１〜５を参照しながら詳細に説明する。
【００１４】
図１は本発明の第１の実施例としてのデジタルカメラ１０を説明する図である。図１（ａ）に示すように、デジタルカメラ１０は上面に電源ボタン１１、レリーズボタン１２、レリーズボタン１２の中心軸を回転軸とするズームレバー１３、モードスイッチ１４がある。図１（ｂ）はデジタルカメラ１０の分解斜視図である。カメラアセンブリ１５は前カバー１６と後カバー１７が一体となることで保護されている。前カバー１６と後カバー１７は小型化のため、プレス成型された金属カバーを用いている。カメラアッセンブリ１５は鏡筒ユニット１８、ストロボユニット１９がある。また、ストロボユニット１９の下には電池ボックスユニット２０がある。各ユニットは締結された状態でカメラアッセンブリ１５を構成している。
【００１５】
図２は本発明のデジタルカメラ１０に用いられる二次電池２１の斜視図である。図２に示すように、二次電池２１の挿入方向２３において上面２４には電極２５がある。電極２５は二次電池２１内部に不図示のプリント配線板に設けられた導体からなる。上面２４にはキー溝形状２６が設けられている。電池ボックスユニット２０と二次電池２１の対応するキーによって、使用者は二次電池２１を正しい方向に収納していることを確認可能である。キー溝形状２６は凹形状であり、電極２５が形成される不図示のプリント配線板の一部を切り欠いて形成する。よって、二次電池２１は電池の容量を犠牲にすることなく、誤挿入を防止することが可能な形状となる。
【００１６】
図３は、二次電池２１が収納される電池ボックスユニット２０の構成を説明する斜視図である。二次電池２１の上面２４に設けられた電極２５に接触する電池接片３１が電池ボックスユニット２０に保持されている。電池ボックスユニット２０にはロック部材３２が回動自在に設けられている。二次電池２１は正しく装填された場合のみ、ロック部材３２によって係止される。電池ボックスユニット２０の外観の一部として電池蓋３３があり、使用時は電池蓋３３が閉じられる。電池ボックスユニット２０の二次電池２１の収納部にはキー溝形状２６に対応するキー部３４が設けられている。二次電池２１を挿入する際に誤った挿入方向、いわゆる逆挿入状況では、凸形状であるキー部３４が二次電池２１の下面２７に干渉する。その結果、二次電池２１は電池ボックスユニット２０内に収納できずロック部材３２で係止されない。よって二次電池２１は電池ボックスユニット２０に対し誤挿入されることはない。また、使用者は二次電池２１を挿入する際に正しい方向で挿入したことを判別可能である。
【００１７】
図４（ａ）は本発明に用いられるストロボユニット１９の構成を説明する斜視図である。発光するキセノン管41は両端にキセノンゴム４２が圧入されている。またキセノン管41の背面には反射傘４３ａがある。ここで、反射傘４３ａはキセノン管４１に接している。キセノン管４１の表面は導電膜があり反射傘４３ａを介し、ストロボ発光回路に設けられたトリガーコイルから、トリガー信号を受けて発光する。反射傘４３ａの一部にはストロボ発光回路のトリガーコイルにはんだ付けされたリード線を接続する腕部４３ｂが設けられている。このトリガーコイルから反射傘４３ａまでのトリガー信号は高圧部である。そのため、トリガー信号と周辺の金属部に対しトリガー信号がリークしないよう沿面距離を確保しなければならない。反射傘４３ａとキセノンゴム４２が圧入されたキセノン管41はストロボホルダー４４に保持される。ストロボ窓４５ａは係止爪４４ａでストロボホルダー４４によって保持されている。ストロボ窓４５ａにはプリズム４５ｂが形成されている。また、ストロボ窓４５ａには電池ボックスユニット２０との位置決めダボ４６が設けられている。プリズム４５ｂは前カバー１６に設けられた開口から露出する外観面である。ストロボ発光による閃光はプリズム４５ｂによって、デジタルカメラ１０の撮影画角に対し最適な配光となる。ストロボ窓４５ａにはリード線を接続する腕部４３ｂの対向する位置において沿面距離を確保するための保護壁４５ｃが設けられている。デジタルカメラ１０を正面から見て、保護壁４５ｃはリード線を接続する腕部４３ｂを投影上で覆う位置関係になっている。
【００１８】
図４（ｂ）は電池ボックスユニット２０とストロボユニット１９の関係を示す図である。ストロボ窓４５ａに設けられた位置決めダボ４６と電池ボックスユニット２０に設けられた位置決め穴３８が勘合することによって、電池ボックスユニット２０とストロボユニット１９の位置関係が決まる。また、キー部３４の内側のスペース４６にはストロボ窓４５ａから下方向に伸びる保護壁４５ｃの一部が挿入される。保護壁４５ｃは反射傘４３ａのリード線を接続する腕部４３ｂより前側にある。
【００１９】
図５は図１（ａ）の平面Ａによる断面のストロボユニット１９近傍を拡大した図である。矢印５１は前カバー１６と反射傘４３ａに設けられたトリガーコイルからのリード線を接続する腕部４３ｂまでの沿面距離を示している。図５の示すように、前カバー１６から反射傘４３ａのリード線を接続する腕部４３ｂは反射傘４３ａから凸になっており、反射傘４３ａと前カバー１６の２部品だけの関係においては、反射傘４３ａの他の部分よりも前カバー１６までの沿面距離が短い関係となる。
【００２０】
保護壁４５ｃはリード線を接続する腕部４３ｂを投影上で覆う位置関係になっている。その結果、前カバー１６から反射傘４３ａのリード線を接続する腕部４３ｂまでの沿面距離５１はストロボ窓４５ａから下方向に伸びる保護壁４５ｃによって長くなる。また、保護壁４５ｃの一部は二次電池２１に設けられた誤挿入防止のためのキー溝形状２６に対応するキー部３４の内側のスペース４６に挿入されており、少スペース化を可能にしている。
【００２１】
以上説明したように、本実施例によれば、二次電池２１の異形状部となる誤挿入防止のキー溝形状２６と、電池ボックスユニット２０の二次電池２１の収納部に設けられたキー部３４のスペース４６を有効に利用する。ストロボ窓４５ａから下方向に伸びる保護壁４５ｃによって前カバー１６と反射傘４３ａのリード線を接続する腕部４３ｂまでの沿面距離５１を十分に確保する。その結果金属カバーで覆われたデジタルカメラにおいて、トリガーコイルからのトリガー信号のリークを防止することができる。
【００２２】
（第２の実施例）
図６は本発明の第２の実施例における電池ボックスユニット２０とストロボユニット１９を説明する図である。第２の実施例におけるデジタルカメラ１０、および二次電池２１についてはと第１の実施例と同じである。
【００２３】
図６（ａ）は電池ボックスユニット２０とストロボユニット１９の関係を示している。電池ボックスユニット２０には二次電池２１を排出方向に付勢する排出ばね６１が取り付けられる。そのため、電池ボックスユニット２０には排出ばね６１を固定する固定軸６２ａと６２ｂが設けられている。電池ボックスユニット２０内には、収納される二次電池２１に設けられたキー溝形状２６に対応するキー部が設けられている。キー部の内側のスペース４６には排出ばね６１の一部が収まっている。
【００２４】
図６（ｂ）は排出ばね６１の詳細を示している。排出ばね６１の巻回部６１ａは固定軸６２ａによって固定される。排出ばね６１の一端６１ｂは固定軸６２ｂに係止されている。排出ばね６１の他端６１ｃは二次電池２１の上面２４に接し、二次電池２１を排出方向に付勢している。二次電池２１は、正しく装填された場合、回動自在に設けられたロック部材３２によって付勢力に抗し係止された状態になる。
【００２５】
図７は図６（ａ）のユニットを図１（ａ）の平面Ａによる断面のストロボユニット１９近傍を拡大した図である。ストロボ窓４５ａから下方向に伸びる保護壁４５ｃはスペース４６に入り込み排出ばね６１の巻回部６１ａと反射傘４３ａのリード線を接続する腕部４３ｂまでの沿面距離６３を確保している。
【００２６】
以上説明したように、本実施例によれば、二次電池２１を排出方向に付勢する排出ばね６１の巻回部６１ａとその固定軸６２ａは二次電池２１の異形状部となる誤挿入防止のキー溝形状２６に対応するスペース４６に配置される。ストロボ窓４５ａから下方向に伸びる保護壁４５ｃは排出ばね６１の巻回部６１ａと反射傘４３ａのリード線を接続する腕部４３ｂまでの沿面距離６３を確保する。その結果、トリガーコイルからのトリガー信号のリークを防止することができる。
【符号の説明】
【００２７】
１０、  デジタルカメラ
１６、  前カバー
１９、  ストロボユニット
２０、  電池ボックスユニット、
２６、  キー溝形状
３４、  キー部
４３ａ、反射傘
４３ｂ、腕部
４５ａ、ストロボ窓
４５ｃ、保護壁
４６、  スペース
５１、  沿面距離
６１、排出ばね
【図１】
2013105023.tif 000003
【図２】
2013105023.tif 000004
【図３】
2013105023.tif 000005
【図４（ａ）】
2013105023.tif 000006
【図４（ｂ）】
2013105023.tif 000007
【図５】
2013105023.tif 000008
【図６】
2013105023.tif 000009
【図７】
2013105023.tif 000010